(57)【要約】【課題】針キャップのタンパープルーフ性が確実で、必要であれば使用後のリキャップも可能である採血針を提供すること。【解決手段】針管（２）を植設した針基（３）と、針キャップ（４）より構成され、前記針キャップ（４）は、針管保護部（４Ａ）と針基保護部（４Ｂ）より形成され、当該針管（２）保護部（４Ａ）と針基保護部（４Ｂ）間の外周壁面には円周方向に切欠部（５）が形成され、前記針キャップ（４）の内壁面と前記針基（３）の外壁面は、前記針基（３）のストレート部（Ｓ）先端から前記切欠部（５）間の領域（６）のみで嵌合するように形成した採血針（１）。【選択図】図１
2004141288.tif 000002
【特許請求の範囲】
【請求項１】
針管（２）を植設した針基（３）と、針キャップ（４）より構成され、
前記針キャップ（４）は、針管保護部（４Ａ）と針基保護部（４Ｂ）より形成され、
当該針管（２）保護部（４Ａ）と針基保護部（４Ｂ）間の外周壁面には円周方向に切欠部（５）が形成され、
前記針キャップ（４）の内壁面と前記針基（３）の外壁面は、前記針基（３）のストレート部（Ｓ）先端から前記切欠部（５）間の領域（６）のみで嵌合するように形成したことを特徴とする採血針（１）。
【請求項２】
前記領域（６）は、針キャップ（４）内壁面と針基（３）外壁面の夫々対向する壁面を粗面加工することにより形成した嵌合部（６）であることを特徴とする請求項１に記載の採血針（１）。
【発明の詳細な説明】
【０００１】
【発明の属する技術分野】
本発明は血液バッグの採血針の改良に関するものであり、高い密封性を保ち、一度開封すると二度と開封前（と同等）の状態に戻らず（タンパープルーフ）、必要があれば使用後リキャップができるという機能を備え、しかも現在の幾つかの工程を省略可能な採血針を提供するものである。
【０００２】
【従来技術及び発明が解決しようとする課題】
現在使用されている採血針は針キャップから針基に跨る「Ｉマーク」をプリントしている。しかしながら「Ｉマーク」のずれで開封・非開封の区別は付け難い。
またポリ塩化ビニル製の針基にポリプロピレン製の針キャップを嵌合させ、針キャップと針基の接合部外周に、ポリ塩化ビニルのＴＨＦ溶液を塗布して、これらの被膜を形成することにより被っていた。しかしながら当該被膜は薄い透明の被膜のため開封・非開封の区別が付け難い。
また外国向けの仕様では、前記被膜組成に白色染料を添加し、針キャップと針基の接合部外周を厚い被膜で被う手段も採用されているが、破断線を人手で付けており、非常に非効率で見かけも悪い。タンパープルーフのためだけに必要な工程があり、しかも確実なタンパープルーフとは言えない。
【０００３】
ところで、タンパープルーフ性を有する採血針として、（１）キャップと針基一体成形した発明（特許文献１参照）、（２）また針キャップを二層構造（内層剛性大）に形成し、切断しやすいようにした発明（特許文献２参照）、（３）さらに針キャップと針基を再接続可能な管状の接続部を配置した発明（特許文献３参照）が開示されている。
しかしながら特許文献１に記載の発明は精密な成形が困難であり、特許文献２、３の記載の発明も部品点数が多くなり、製造コストが大になるという課題がある。
【０００４】
【特許文献１】
アメリカ特許３５２３５３０号公報（図３）
【特許文献２】
特公平１−１７３８１号公報（１頁、図１）
【特許文献３】
特許２９３９２７３号公報（１頁、図１）
【０００５】
【課題を解決するための手段】
そこで本発明者は、以上の課題を解決するために鋭意検討を重ねた結果、以下の発明に到達した。
［１］本発明は、針管（２）を植設した針基（３）と、針キャップ（４）より構成され、
前記針キャップ（４）は、針管保護部（４Ａ）と針基保護部（４Ｂ）より形成され、
当該針管（２）保護部（４Ａ）と針基保護部（４Ｂ）間の外周壁面には円周方向に切欠部（５）が形成され、
前記針キャップ（４）の内壁面と前記針基（３）の外壁面は、前記針基（３）のストレート部（Ｓ）先端から前記切欠部（５）間の領域（６）のみで嵌合するように形成した採血針（１）を提供する。
［２］本発明は、前記領域（６）は、針キャップ（４）内壁面と針基（３）外壁面の夫々対向する壁面を粗面加工することにより形成した嵌合部（６）である［１］に記載の採血針（１）を提供する。
【０００６】
【発明の実施の形態】
図１から図３は、本発明の採血針１の一例を示す概略図で、図１は分解図、図２は組立図、図３は使用状態図を示す。
採血針１は針管２を植設した針基３と、針キャップ４より構成される。
［針管２を植設した針基３］
本発明の針基３は、例えば硬質のポリ塩化ビニルより形成され、前方のテーパー部Ｔと中間のストレート部Ｓと後方のチューブ接続部３Ａより形成される。
［針キャップ４］
本発明の針キャップ４は、例えば硬質のポリ塩化ビニルより一体成形され、針管保護部４Ａと針基保護部４Ｂより形成され、針管２の先端から針基３前方のテーパー部Ｔと中間のストレート部Ｓまでを被覆することができる。針管保護部４Ａと針基保護部４Ｂ間の外周壁面には円周方向に切欠部５が形成されている。
切欠部５は、僅かな力で切断できるように形成され、針管保護部４Ａと針基保護部４Ｂ間は僅かな薄肉部４Ｃにより連結しているのみである。
【０００７】
［針基３と針キャップ］
針キャップ４の内壁面と針基３の外壁面は、図２に示すように針基３のストレート部Ｓ先端から切欠部５間の領域６のみで嵌合するように形成されている。針キャップ４の全長６０ｍｍ〜７０ｍｍに対して、当該領域６（嵌合部６ともいう）は、概ね５ｍｍ〜７ｍｍに形成され、針キャップ４の後端から概ね１０ｍｍ〜２０ｍｍの間に形成される。
前記嵌合部６とは、針管保護部４Ａを切欠部５より切断して、引き抜いた後、再度、リキャップできるような形状を意味する。これは単に使用者の針刺し事故を防ぐための嵌合構造であり、必ずしも気密性、液密性を必要としない。
したがって針キャップ４の当該内壁面と針基３の当該外壁面の夫々には、高圧蒸気滅菌時のブロッキングを防ぐために粗面加工が施されている（夫々の対向する壁面には微小な凹凸が形成される）。
なお針キャップ４と針基３の気密性ないし液密性は、針基３のストレート部Ｓ後端から切欠部５間で確保されている。
針キャップ４の開封は針管保護部４Ａを回転させ、図３に示すように切欠部５より切断して引き抜く。針管保護部４Ａと針基保護部４Ｂが一体成形のため従来の採血針と比べて部品点数が増えず、組立が容易で・且つ安全性が保たれる。
また前記のような密着部６を設けることにより、開封して使用・済みとなった採血針に再度キャップを被せて、安全に廃棄できる。
【０００８】
【発明の作用効果】
▲１▼針キャップ４は元の状態には戻らないので、タンパープルーフ性を確実にする。
▲２▼引き抜いた針管２保護部４Ａは針基保護部４Ｂとのある程度の嵌合性を備えており、必要であれば使用後のリキャップも可能である。
▲３▼タンパープルーフを本発明の針キャップにより担保することにより、従来の「Ｉマーク」が不要となる。もしくは、針基と針キャップの双方に跨って形成する必要がなく、針基のみへのプリントのみで良い。
▲４▼被膜のディッピング工程・破断線（外国仕様）等の加工工程を省略できる。
【図面の簡単な説明】
【図１】本発明の採血針の概略図（分解図）
【図２】本発明の採血針の概略図（組立図）
【図３】本発明の採血針の概略図（使用状態図）
【符号の説明】
１　採血針
２　針管
３　針基
３Ａ　チューブ接続部
Ｓ　ストレート部
Ｔ　テーパー部
４　針キャップ
４Ａ　針管保護部
４Ｂ　針基保護部
４Ｃ　薄肉部
５　切欠部
６　領域（嵌合部）
【図１】
2004141288.tif 000003
【図２】
2004141288.tif 000004
【図３】
2004141288.tif 000005